【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
複数の印刷装置を管理するサーバー装置であって、
印刷対象のデータと印刷指示を携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備え、
前記印刷指示には、前記携帯端末の位置情報と加速度情報が含まれており、
前記決定部は、
前記位置情報と前記加速度情報に基づき、前記携帯端末のユーザーに指定された印刷装置の位置を推定し、
推定した前記位置に最も近い印刷装置を、印刷を行う印刷装置として決定する、
ことを特徴とするサーバー装置。
【請求項２】
複数の印刷装置を管理するサーバー装置であって、
印刷対象のデータと印刷指示を携帯端末から受け付ける受付部と、
前記印刷指示に基づき、印刷を行う印刷装置を決定する決定部と、
前記決定部で決定された印刷装置についての情報を前記携帯端末に送信する情報送信部と、を備え、
前記印刷指示には、前記携帯端末の位置情報と加速度情報が含まれており、
前記決定部は、
前記位置情報と前記加速度情報に基づき、前記携帯端末のユーザーに指定された印刷装置の位置を推定し、
推定した前記位置に最も近い印刷装置を、印刷を行う印刷装置として決定する、
ことを特徴とするサーバー装置。
【請求項３】
印刷の指示を行う携帯端末と、複数の印刷装置と、当該複数の印刷装置を管理するサーバー装置と、を備える印刷システムであって、
前記携帯端末は、
ユーザーによる操作に応じて、印刷対象のデータと印刷指示を出力する出力部を備え、
前記サーバー装置は、
前記印刷対象のデータと前記印刷指示を前記携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備え、
前記決定部で決定された印刷装置は、
前記サーバー装置から出力された印刷データを受信して印刷を行う印刷実行部を備える、
ことを特徴とする印刷システム。
【請求項４】
印刷の指示を行う携帯端末と、複数の印刷装置と、当該複数の印刷装置を管理するサーバー装置と、を備える印刷システムであって、
前記携帯端末は、
ユーザーによる操作に応じて、印刷指示を出力する出力部を備え、
前記サーバー装置は、
前記印刷指示を前記携帯端末から受け付ける受付部と、
前記印刷指示に基づき、印刷を行う印刷装置を決定する決定部と、
前記決定部で決定された印刷装置についての情報を前記携帯端末に送信する情報送信部と、
を備え、
前記決定部で決定された印刷装置は、
前記印刷指示に基づく印刷を行う印刷実行部を備える、
ことを特徴とする印刷システム。
【請求項５】
請求項４に記載の印刷システムであって、
前記携帯端末は、
前記情報送信部から送信された前記情報で特定される印刷装置に印刷を行わせるか否かユーザーから指示を受け付け、受け付けた指示を前記サーバー装置に通知するとともに、印刷対象のデータを出力する確認処理部をさらに備え、
前記サーバー装置は、
前記決定部で決定された印刷装置に印刷を行わせる指示を前記確認処理部から通知された場合には、前記印刷対象のデータを元に印刷データを生成し、前記決定部で決定された印刷装置に対して当該印刷データを出力する印刷部をさらに備える、
ことを特徴とする印刷システム。
【請求項６】
請求項４に記載の印刷システムであって、
前記携帯端末は、
前記情報送信部から送信された前記情報で特定される印刷装置に印刷を行わせるか否かユーザーから指示を受け付ける確認処理部と、
前記決定部で決定された印刷装置に印刷を行わせる指示を受け付けた場合には、印刷対象のデータを元に印刷データを生成し、前記決定部で決定された印刷装置に対して当該印刷データを出力する印刷部と、をさらに備える、
ことを特徴とする印刷システム。
【請求項７】
印刷の指示を行う携帯端末と、複数の印刷装置と、当該複数の印刷装置を管理するサーバー装置と、を備える印刷システムであって、
前記携帯端末は、
当該携帯端末を手に持つユーザーによるジェスチャーに応じて、印刷対象のデータと印刷指示を出力する出力部を備え、
前記サーバー装置は、
印刷対象のデータと印刷指示を前記携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備え、
前記決定部で決定された印刷装置は、
前記サーバー装置から出力された印刷データを受信して印刷を行う印刷実行部を備える、
ことを特徴とする印刷システム。
【請求項８】
印刷の指示を行う携帯端末と、複数の印刷装置と、当該複数の印刷装置を管理するサーバー装置と、を備える印刷システムであって、
前記携帯端末は、
印刷を行わせる印刷装置を撮像する撮像部と、
前記撮像部で撮像された画像に対するユーザーの操作に応じて、印刷対象のデータと印刷指示を出力する出力部と、を備え、
前記サーバー装置は、
印刷対象のデータと印刷指示を前記携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備え、
前記決定部で決定された印刷装置は、
前記サーバー装置から出力された印刷データを受信して印刷を行う印刷実行部を備える、
ことを特徴とする印刷システム。
【請求項９】
印刷の指示を行う携帯端末と、複数の印刷装置と、当該複数の印刷装置を管理するサーバー装置と、を備える印刷システムであって、
前記携帯端末は、
印刷を行わせる印刷装置に備わるバーコード情報を読み取る読取部と、
前記バーコード情報に応じて、印刷対象のデータと印刷指示を出力する出力部と、を備え、
前記サーバー装置は、
印刷対象のデータと印刷指示を前記携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備え、
前記決定部で決定された印刷装置は、
前記サーバー装置から出力された印刷データを受信して印刷を行う印刷実行部を備える、
ことを特徴とする印刷システム。
【請求項１０】
印刷の指示を行う携帯端末と、複数の印刷装置を管理するサーバー装置と、を備える印刷システムであって、
前記携帯端末は、
ユーザーによる操作に応じて、印刷対象のデータと印刷指示を出力する出力部を備え、
前記サーバー装置は、
印刷対象のデータと印刷指示を前記携帯端末から受け付ける受付部と、
前記印刷指示に基づき、印刷を行う印刷装置を決定する決定部と、
前記印刷対象のデータを元に印刷データを生成し、前記決定部で決定された印刷装置に対して当該印刷データを出力する印刷部と、を備える、
ことを特徴とする印刷システム。
【請求項１１】
複数の印刷装置と、当該複数の印刷装置を管理するサーバー装置と、を備える印刷システムであって、
前記印刷装置は、
自印刷装置についての情報を前記サーバー装置に提供する情報提供部を備え、
前記サーバー装置は、
前記情報提供部から提供された情報を記憶しておく情報管理部を備える、
ことを特徴とする印刷システム。
【請求項１２】
請求項３乃至１１のいずれか１項に記載の印刷システムであって、
前記印刷指示には、前記携帯端末の位置情報と加速度情報が含まれており、
前記決定部は、
前記位置情報と前記加速度情報に基づき、前記携帯端末のユーザーに指定された印刷装置の位置を推定し、
推定した前記位置に最も近い印刷装置を、印刷を行う印刷装置として決定する、
ことを特徴とする印刷システム。
【請求項１３】
印刷の指示を行う携帯端末と、複数の印刷装置と、当該複数の印刷装置を管理するサーバー装置と、を備える印刷システムにおける印刷方法であって、
前記携帯端末は、
ユーザーによる操作に応じて、印刷対象のデータと印刷指示を出力する出力ステップを行い、
前記サーバー装置は、
前記印刷対象のデータと前記印刷指示を前記携帯端末から受け付ける受付ステップと、
前記印刷指示に基づき、印刷を行う印刷装置を決定する決定ステップと、
前記印刷対象のデータを元に印刷データを生成し、前記決定ステップで決定された印刷装置に対して当該印刷データを出力する印刷ステップと、を行い、
前記決定ステップで決定された印刷装置は、
前記サーバー装置から出力された印刷データを受信して印刷を行う印刷実行ステップを行う、
ことを特徴とする印刷方法。
【請求項１４】
請求項１３に記載の印刷方法であって、
前記印刷指示には、前記携帯端末の位置情報と加速度情報が含まれており、
前記決定ステップでは、
前記位置情報と前記加速度情報に基づき、前記携帯端末のユーザーに指定された印刷装置の位置を推定し、
推定した前記位置に最も近い印刷装置を、印刷を行う印刷装置として決定する、
ことを特徴とする印刷方法。